(57)【要約】【課題】病人や老人等の被介護者のおむつの取換えを容易に行えるようにする、簡易な構造のおむつ取換え介護装置を提供することを提供すること。【解決手段】足掛け部１２を備えた矩形状の足掛け枠体１と、連結された支持脚体２とからなり、前記支持脚体２は、前記足掛け枠体１をその前記足掛け部１２を水平に位置させて所望の角度の起立状態で支持すると共に、該足掛け枠体１に対して折り重ね可能に連結されており、使用に際して、前記足掛け部１２が仰向けに寝ている被介護者Ｐの両膝Ｐ１の下に位置するように、前記足掛け枠体１を配置し、その後該足掛け部１２が上方に持ち上げられるように該足掛け枠体１を起立させることにより、該足掛け部１２に被介護者Ｐの両膝Ｐ１が掛かった状態下に被介護者Ｐの脚部Ｐ２・Ｐ３を持ち上げ、斯かる状態に起立された該足掛け枠体１を前記支持脚体２で支持するようになしてある。【選択図】　　図２
2004129768.tif 000002
【特許請求の範囲】
【請求項１】
足掛け部を備えた矩形状の足掛け枠体と、連結された支持脚体とからなり、
前記支持脚体は、前記足掛け枠体をその前記足掛け部を水平に位置させて所望の角度の起立状態で支持すると共に、該足掛け枠体に対して折り重ね可能に連結されており、
使用に際して、前記足掛け部が仰向けに寝ている被介護者の両膝の下に位置するように、前記足掛け枠体を配置し、その後該足掛け部が上方に持ち上げられるように該足掛け枠体を起立させることにより、該足掛け部に被介護者の両膝が掛かった状態下に被介護者の脚部を持ち上げ、斯かる状態に起立された該足掛け枠体を前記支持脚体で支持するようになしてある、おむつ取換え介護装置。
【請求項２】
前記支持脚体が、コ字状の枠体からなり、その両端部が前記足掛け枠体の両側枠における前記足掛け部近傍でそれぞれ連結されている請求項１記載のおむつ取換え介護装置。
【請求項３】
前記足掛け部の周囲に柔軟性部材が巻回されている請求項１又は２記載のおむつ取換え介護装置。
【請求項４】
前記支持脚体は、前記足掛け枠体が所望の角度の起立状態を維持可能なように、該足掛け枠体にラチエット機構を介して連結されている請求項１〜３の何れかに記載のおむつ取換え介護装置。
【発明の詳細な説明】
【０００１】
【発明の属する技術分野】
本発明は、おむつ取換え介護装置、詳しくは、病人や老人等の被介護者のおむつの取換えを容易に行えるようにする、簡易な構造のおむつ取換え介護装置に関する。
【０００２】
【従来の技術及び発明が解決しようとする課題】
従来より、病人や老人等の寝たきりの被介護者のおむつの取換えは、通常、被介護者の脚部及び腰部を持ち上げて行っており、このような持ち上げ作業には、数人の介護者を必要とする等、多大な労力を要した。
そこで、介護者の労力を軽減するために、一人の介護者により被介護者の脚部及び腰部を持ち上げ可能にした装置として、特開２００２−１７７９６号公報、特開２００１−５４５３０号公報及び特開２０００−１７５９５１号公報等に記載の発明等が提案されている。
しかし、上述の装置による場合、おむつの取換えは容易になるが、体の硬い被介護者にとって、脚部と共に腰部を持ち上げられることは、腰部に負担が掛かり大きな苦痛を伴う他に、上述の装置は下記のような問題を有していた。
特開２００２−１７７９６号公報に記載の装置は、脚部の膝裏に当接するリフト手段、該リフト手段を被介護者の方向に旋回して持ち上げる旋回手段及びこれによって持ち上げられたリフト手段を更に介護者の方向に競り上げて持ち上げる競上手段を具備してなるもので、構造的に大掛かりな装置である。
また、特開２００１−５４５３０号公報に記載の装置は、簡易な構造ではなく、使用に際して、介護者が被介護者の脚部を持ち上げて脚受１９の上に配置する必要がある等、それなりの労力を要するものである。
特開２０００−１７５９５１号公報に記載の器具は、比較的簡易な構造の物ではあるが、使用時において、介護者が器具から手を離すと倒れ易い物であった。
【０００３】
従って、本発明の目的は、病人や老人等の被介護者のおむつの取換えを容易に行えるようにする、簡易な構造のおむつ取換え介護装置を提供することにある。
【０００４】
【特許文献１】
特開２００２−１７７９６号公報
【特許文献２】
特開２００１−５４５３０号公報
【特許文献３】
特開２０００−１７５９５１号公報
【０００５】
【課題を解決するための手段】
本発明は、足掛け部を備えた矩形状の足掛け枠体と、連結された支持脚体とからなり、前記支持脚体は、前記足掛け枠体をその前記足掛け部を水平に位置させて所望の角度の起立状態で支持すると共に、該足掛け枠体に対して折り重ね可能に連結されており、使用に際して、前記足掛け部が仰向けに寝ている被介護者の両膝の下に位置するように、前記足掛け枠体を配置し、その後該足掛け部が上方に持ち上げられるように該足掛け枠体を起立させることにより、該足掛け部に被介護者の両膝が掛かった状態下に被介護者の脚部を持ち上げ、斯かる状態に起立された該足掛け枠体を前記支持脚体で支持するようになしてある、おむつ取換え介護装置を提供することにより、上記目的を達成したものである。
【０００６】
【発明の実施の形態】
本発明のおむつ取換え介護装置を、その好ましい一実施形態について、図１〜図４を参照して説明する。
本実施形態のおむつ取換え介護装置は、図１〜図４に示すように、足掛け部１２を備えた矩形状の足掛け枠体１と、連結された支持脚体２とからなり、前記支持脚体２は、前記足掛け枠体１をその前記足掛け部１２を水平に位置させて所望の角度の起立状態で支持すると共に、該足掛け枠体１に対して折り重ね可能に連結されており、使用に際して、前記足掛け部１２が仰向けに寝ている被介護者Ｐの両膝Ｐ１の下に位置するように、前記足掛け枠体１を配置し、その後該足掛け部１２が上方に持ち上げられるように該足掛け枠体１を起立させることにより、該足掛け部１２に被介護者Ｐの両膝Ｐ１が掛かった状態下に被介護者Ｐの脚部Ｐ２・Ｐ３を持ち上げ、斯かる状態に起立された該足掛け枠体１を前記支持脚体２で支持するようになしてある。
【０００７】
本実施形態のおむつ取換え介護装置について詳述すると、足掛け枠体１は、図１及び図２に示すように、略コ字状の枠体本体部１１と、該枠体本体部１１の一対の連結端部１１Ａ、１１Ｂ間を連結する前記足掛け部１２と、該足掛け部１２の周囲に巻回された柔軟性部材１３とからなる。そして、足掛け枠体１は、枠体本体部１１と足掛け枠体１２とで全体として矩形枠体となっている。
枠体本体部１１は、金属製のパイプ材からなり略コ字状に形成されている。足掛け部１２は、金属製のパイプ材から形成されており、その両端部がそれぞれ枠体本体部１１の連結端部１１Ａ、１１Ｂに被嵌されている。足掛け部１２の幅は、被介護者の脚部の幅よりも充分に広くなっており、足掛け部１２（柔軟性部材１３）の両端部を掴んで足掛け枠体１を持ち上げられるようになっている。
柔軟性部材１３は、使用時における被介護者Ｐの両膝Ｐ１と足掛け部１２との緩衝材としての役割を果たすもので、本実施形態においては、足掛け部１２を被嵌し得る円筒状の発泡ウレタン材を用いている。
【０００８】
前記支持脚体２は、図１及び図２に示すように、コ字状の枠体からなり、その両端部２Ａ、２Ｂが前記足掛け枠体１の両側枠１１Ｃ、１１Ｄにおける前記足掛け部１２近傍でそれぞれ連結されている。支持脚体２は、金属製のパイプ材から形成されており、その底枠２Ｅの幅は、足掛け枠体１の底枠１１Ｅの幅と同じになっている。
前記支持脚体２は、前記足掛け枠体１が所望の角度α（図４参照）の起立状態を維持可能なように、該足掛け枠体１にラチエット機構３を介して連結されている。ラチエット機構３は、足掛け枠体１の枠体本体部１１の側枠１１Ｃ、１１Ｄに取り付けられた側面視で扇状のラチエット枠体３１、３１と、該ラチエット枠体３１、３１に対して支持脚体２を段階的に回動し得るラチェット３２、３２とからなる。そのため、支持脚体２は、足掛け枠体１に折り重なる状態（図１参照）から、ラチェット枠体３１の内側端部３１Ａ（図１参照）に当接するまで段階的に回動可能となっている。
【０００９】
本実施形態のおむつ取換え介護装置は、上述した構成からなるため、図２に示すように、起立させた足掛け枠体１を支持脚体２で支持することができる。その際の足掛け部１２の高さは、足掛け枠体１と支持脚体２との開きの程度を調節することにより変更することができ、しかも、足掛け枠体１と支持脚体２とがラチエット機構３を介して連結されているので、足掛け部１２を所望の高さで固定できる。
【００１０】
次に、本実施形態のおむつ取換え介護装置の一使用態様について、図１〜図４を用いて説明する。
先ず、介護者（図示せず）により、図１に示すように足掛け枠体１の上に支持脚体２を折り重ねた状態のおむつ取換え介護装置を、図３に示すように、足掛け部１２が仰向けに寝ている被介護者Ｐの両膝Ｐ１の下に位置するように、被介護者Ｐの寝ている寝具Ｂと被介護者Ｐの脚部Ｐ２・Ｐ３との間を移動させる。
【００１１】
次に、図３に示す状態から、足掛け部１２（柔軟性部材１３）の両端部を持ち、足掛け部１２に被介護者Ｐの両膝Ｐ１が掛かった状態下に足掛け部１２を上方に持ち上げることにより、おむつ取換え介護装置全体を持ち上げ、足掛け枠体１を起立させる。そして、図４に示すように、斯かる状態に起立された足掛け枠体１を被介護者Ｐの大腿部Ｐ２に沿って斜めに配し、支持脚体２を、ラチエット機構３を支点として被介護者Ｐの下腿部Ｐ３に沿って斜めに配し、足掛け枠体１を支持脚体２で支持する（図２も参照）。
【００１２】
然る後、図４に示すように被介護者Ｐの脚部（大腿部Ｐ２、下腿部Ｐ３）を持ち上げた状態下で、被介護者Ｐが着用しているおむつ（図示せず）の止着部分を展開する。そして、展開したおむつを図４の右方に引き出し、足掛け枠体１及び支持脚体２の枠体内を通過させて、被介護者Ｐからおむつを外す。
おむつを外した後、被介護者Ｐの臀部等の汚れを除去する。その後、新しいおむつ（図示せず）を、図４の左方に向けて足掛け枠体１及び支持脚体２の枠体内を通過させて、被介護者Ｐの臀部と寝具Ｂとの間に引き入れ、被介護者Ｐに装着する。このようにして、被介護者Ｐのおむつを取換えることができる。
【００１３】
本実施形態のおむつ取換え介護装置は、前述したように簡易でコンパクトな構成からなるため、前述の使用態様において、一人の介護者のみで、おむつ取換え介護装置を被介護者Ｐと寝具Ｂとの間に引き入れ、被介護者Ｐの脚部Ｐ２・Ｐ３を持ち上げるように足掛け枠体１を起立させることができる。この際、枠体本体部１１の底枠１１Ｅ及び支持脚体２の底枠２Ｅを寝具Ｂ上を円滑に移動させることが出来るから、足掛け枠体を容易に起立させることができる。
そして、斯かる状態に起立された足掛け枠体１を支持脚体２で支持することにより、被介護者Ｐの体を、容易におむつ取換え可能な状態にすることができる。この際、被介護者Ｐの腰部を持ち上げないため、被介護者Ｐの腰部に負担が掛かることがない。しかも、本実施形態のおむつ取換え介護装置は、前述したような重心の低い構造なため、被介護者Ｐの脚部Ｐ２・Ｐ３を持ち上げた際に倒れ難く、安定感が高い。また、簡易で且つコンパクトな構造であるため、被介護者の腰部を持ち上げ無くても、一人の介護者で容易におむつを取り替えることが可能である。
【００１４】
本発明のおむつ取換え介護装置は、前記実施形態に制限されることなく、本発明の趣旨を逸脱しない限り、例えば以下に示すように適宜変更が可能である。
足掛け枠体及び支持脚体は、金属材に限らず合成樹脂等から形成することができ、また、パイプ材に限らず中実の棒材、板材等から形成することもできる。支持枠体は、側枠の中央部同士が連結されたＨ字状に形成されていてもよく、側枠同士が連結されていなくてもよい。支持脚体は、足掛け枠体の側枠の中央部近傍で連結されていてもよい。
柔軟性部材としては、適度な柔軟性を有するものであれば、発泡樹脂材、布材等の種々の部材を用いることができる。
被介護者に用いられるおむつは、所謂使い捨ておむつでも布等からなる通常のおむつでもよい。
【００１５】
【発明の効果】
本発明のおむつ取換え介護装置は、病人や老人等の被介護者のおむつの取換えを容易に行えるようにするもので、簡易な構造のものである。本発明のおむつ取換え介護装置によれば、使用に際して、足掛け枠体と支持脚体とを折り重ねた状態で、足掛け枠体の足掛け部を仰向けに寝ている被介護者の両膝の下に位置させて足掛け枠体を配置し、足掛け枠体を起立させるだけで、足掛け部に被介護者の両膝が掛かった状態下に被介護者の脚部を持ち上げることが出来、斯かる状態に起立された足掛け枠体を支持脚体で支持することにより、被介護者の体を、容易におむつ取換え可能な状態にすることができる。そして、被介護者の腰部を持ち上げなくても、一人の介護者でおむつを容易に取り替え可能であるから、おむつ取り替え時に被介護者へ無用な負担をかけること無く、労力の軽減化を図れる。
【図面の簡単な説明】
【図１】図１は、本発明の実施形態のおむつ取換え介護装置を、折り重ね状態で示す斜視図である。
【図２】図２は、図１に示すおむつ取換え介護装置の使用状態における起立状態を示す斜視図である。
【図３】図３は、図１に示すおむつ取換え介護装置の使用時における一形態の概要を示す側面図である。
【図４】図４は、図１に示すおむつ取換え介護装置の使用状態の概要を示す側面図である。
【符号の説明】
１　足掛け枠体
１１　枠体本体部
１１Ａ、１１Ｂ　連結端部
１１Ｃ、１１Ｄ　側枠
１１Ｅ　底枠
１２　足掛け部
１３　柔軟性部材
２　支持脚体
２Ａ、２Ｂ　端部
２Ｃ、２Ｄ　側枠
２Ｅ　底枠
３　ラチエット機構
３１　ラチエット枠体
３２　ラチェット本体
Ｐ　被介護者
Ｐ１　両膝
Ｐ２　大腿部（脚部）
Ｐ３　下腿部（脚部）
【図１】
2004129768.tif 000003
【図２】
2004129768.tif 000004
【図３】
2004129768.tif 000005
【図４】
2004129768.tif 000006
【手続補正書】
【提出日】平成15年12月25日(2003.12.25)
【手続補正１】
【補正対象書類名】明細書
【補正対象項目名】特許請求の範囲
【補正方法】変更
【補正の内容】
【特許請求の範囲】
【請求項１】
足掛け部を備えた足掛け枠体と、該足掛け枠体に連結された支持脚体とからなり、
前記支持脚体は、前記足掛け枠体をその前記足掛け部を水平に位置させて所望の角度の起立状態で支持すると共に、該足掛け枠体に対して折り重ね可能に連結されており、
使用に際して、前記足掛け部が仰向けに寝ている被介護者の両膝の下に位置するように、前記足掛け枠体を配置し、その後該足掛け部が上方に持ち上げられるように該足掛け枠体を起立させることにより、該足掛け部に被介護者の両膝が掛かった状態下に被介護者の脚部を持ち上げ、斯かる状態に起立された該足掛け枠体を前記支持脚体で支持するようになしてある、おむつ取換え介護装置。
【請求項２】
前記足掛け枠体が、略コ字状の枠体本体部と、該枠体本体部の一対の連結端部間を連結する前記足掛け部とから矩形状に形成されている請求項１記載のおむつ取換え介護装置。
【請求項３】
前記支持脚体が、コ字状の枠体からなり、その両端部が前記足掛け枠体の両側枠における前記足掛け部近傍でそれぞれ連結されている請求項１又は２記載のおむつ取換え介護装置。
【請求項４】
前記足掛け部の周囲に柔軟性部材が巻回されている請求項１〜３の何れかに記載のおむつ取換え介護装置。
【請求項５】
前記支持脚体は、前記足掛け枠体が所望の角度の起立状態を維持可能なように、該足掛け枠体にラチエット機構を介して連結されている請求項１〜４の何れかに記載のおむつ取換え介護装置。